(57)【要約】【課題】最下段の蹴込板が簡単に組み付けられる階段の蹴込板取付方法を提供する。【解決手段】本発明は、平行に配置される一対の側板１の内側面に、階段裏面側において下方に向けて開放する垂直な蹴込板取付溝１３がそれぞれ形成されるとともに、両蹴込板取付溝１３に、蹴込板３の両側縁部が収容配置される階段の蹴込板取付方法を対象とする。一対の側板１の内側面における両蹴込板取付溝１３の後方に、前側が蹴込板取付溝１３に連通し、かつ後側が階段裏面側において後方に向けて開放する作業溝４をそれぞれ形成しておく。蹴込板３を一対の側板１に取り付けるに際し、階段裏面側における後方から蹴込板３の両側縁部を上記両作業溝４を介して両蹴込板取付溝１３までそれぞれ導いて、両蹴込板取付溝内にそれぞれ収容する。【選択図】      図７
2006299630.tif 000002
【特許請求の範囲】
【請求項１】
平行に配置される一対の側板の内側面に、階段裏面側において下方に向けて開放する垂直な蹴込板取付溝がそれぞれ形成されるとともに、両蹴込板取付溝に、蹴込板の両側縁部が収容配置される階段の蹴込板取付方法であって、
前記一対の側板の内側面における両蹴込板取付溝の後方に、前側が前記蹴込板取付溝に連通し、かつ後側が階段裏面側において後方に向けて開放する作業溝をそれぞれ形成しておき、
前記蹴込板を前記一対の側板に取り付けるに際し、階段裏面側における後方から前記蹴込板の両側縁部を上記両作業溝を介して両蹴込板取付溝までそれぞれ導いて、両蹴込板取付溝内にそれぞれ収容するようにしたことを特徴とする階段の蹴込板取付方法。
【請求項２】
前記蹴込板取付溝は、一対の側板に所定の間隔おきに複数形成されるとともに、
前記複数の蹴込板取付溝のうち、最下段の蹴込板取付溝に対応して、前記作業溝が形成される請求項１に記載の階段の蹴込板取付方法。
【請求項３】
前記作業溝は、前記蹴込板取付溝と連通する前側連通縁部と、後方に向けて開放する後側開放縁部と、前記前側連通縁部の上端および後側開放縁部の上端との間を結ぶ上側壁部とを有し、前記前側連通縁部は前記蹴込板取付溝のほぼ全域に対応して設けられるとともに、前記後側開放縁部の上端位置が前記前側連通縁部の上端位置に対し低位に設定され、
前記上側壁部は前記前側連通縁部の上端位置から後方に向けて斜め下向きに傾斜するよう配置される請求項１または２に記載の階段の蹴込板取付方法。
【請求項４】
前記蹴込板を前記蹴込板取付溝に収容するに際し、前記蹴込板を略水平に配置した状態で前記蹴込板の両側縁部を両作業溝にその後側開放部から挿入した後、その蹴込板を挿入先端側を上方に持ち上げるように回転させつつ両作業溝の前方に移動させることにより、前記蹴込板の両側縁部を前記両蹴込板取付溝まで導くようにした請求項１〜３のいずれか１項に記載の階段の蹴込板取付方法。
【請求項５】
前記蹴込板取付溝の深さに対し、前記作業溝の深さが深く形成される請求項１〜４のいずれか１項に記載の階段の蹴込板取付方法。
【請求項６】
内側面に下方に向けて開放する垂直な蹴込板取付溝がそれぞれ形成され、かつ平行に配置される一対の側板を具備する階段構成部材であって、
前記一対の側板の内側面における両蹴込板取付溝の後方に、前側が前記蹴込板取付溝に連通し、かつ後側が階段裏面側において後方に向けて開放する作業溝がそれぞれ形成され、
階段裏面側における後方から蹴込板の両側縁部が上記両作業溝を介して両蹴込板取付溝までそれぞれ導かれて、両蹴込板取付溝内にそれぞれ収容配置されるよう構成されたことを特徴とする階段構成部材。
【請求項７】
平行に配置される一対の側板の内側面に、階段裏面側において下方に向けて開放する垂直な蹴込板取付溝がそれぞれ形成されるとともに、両蹴込板取付溝に、蹴込板の両側縁部が収容配置される階段であって、
前記一対の側板の内側面における両蹴込板取付溝の後方に、階段裏面側における後方から前記蹴込板の両側縁部を挿入して両蹴込板取付溝までそれぞれ導くための作業溝がそれぞれ形成され、
前記作業溝は、前側が前記蹴込板取付溝に連通し、かつ後側が階段裏面側において後方に向けて開放するよう形成されることを特徴とする階段。
【発明の詳細な説明】
【技術分野】
【０００１】
この発明は、例えば一般住宅の木質製階段などに好適に採用される階段、その蹴込板取付方法および階段構成部材に関する。
【背景技術】
【０００２】
戸建て住宅などの木質製屋内階段は通常、間隔をおいて平行に配置される一対の側板と、一対の側板間に長さ方向に沿って所定の間隔おきに水平に配置される複数の段板と、各段板の下面前部に下方に延びるように垂直に配置される複数の蹴込板と、を備えている。
【０００３】
このような階段は例えば下記特許文献１に示すように、一対の側板における内側面に、段板取付位置に対応して、階段裏面側において後方に開放する段板取付溝が水平方向に沿って形成されるとともに、蹴込板取付位置に対応して、階段裏面側において下方に開放する蹴込板取付溝が垂直方向に沿って形成されている。そして段板は、その両側縁部が両側板間において対応する両段板取付溝にそれぞれ挿入されて組み付けられるとともに、蹴込板は、その両側縁部が両側板間において対応する両蹴込板取付溝にそれぞれ挿入されて組み付けられるものである。
【特許文献１】特開２００１−３２４７９号（図１，３）
【発明の開示】
【発明が解決しようとする課題】
【０００４】
上記従来の階段は、蹴込板を側板の蹴込板取付溝に下方から挿入して組み付けるものであるが、一対の側板を家屋構造体に固定した状態では、最下段の蹴込板取付溝の下端開放部（蹴込板挿入部）が設置面（床面）に対応して配置され、蹴込板取付溝の下端開放部が床面によって塞がれてしまう。このため、一対の側板を家屋構造体に固定した後は、最下段の蹴込板を取り付けることが困難である。
【０００５】
そこで従来においては例えば、一対の側板を組み付ける前に、予め一対の側板に最下段の蹴込板を取り付けておき、その後、一対の側板を家屋構造体に固定する組付方法や、一対の側板をその上端部を家屋構造体に回転自在に仮止め固定しておき、一対の側板を下端部を持ち上げるように回転させて最下段の蹴込板取付溝の下端を開放して蹴込板を挿入配置した後、一対の側板を下方に回転させて組付状態に戻してから家屋構造体に本固定する組付方法などが採用されている。
【０００６】
しかしながら、前者のように蹴込板を先付けする方法では、組付手順が複雑になるばかりか、蹴込板付きの側板は嵩高く大型で、取扱が面倒になり、その取扱に二人以上の作業者が必要となることもあり、組立作業が困難であるという問題があった。
【０００７】
また後者のように側板仮止め状態で蹴込板を取り付ける方法では、一対の側板を仮固定した後、一対の側板を回転させて持ち上げたり、その持ち上げ状態で蹴込板を取り付けるなどの面倒な操作が必要であり、さらに階段を持ち上げる者と、蹴込板を挿入する者との二人以上の作業者が必要になり、組立作業が困難であるという問題があった。
【０００８】
この発明は、上記従来技術の問題を解消し、最下段の蹴込板を簡単に組み付けることができる階段、その蹴込板取付方法および階段構成部材を提供することを目的とする。
【課題を解決するための手段】
【０００９】
上記目的を達成するため、本発明は以下の構成を要旨とする。
【００１０】
［１］  平行に配置される一対の側板の内側面に、階段裏面側において下方に向けて開放する垂直な蹴込板取付溝がそれぞれ形成されるとともに、両蹴込板取付溝に、蹴込板の両側縁部が収容配置される階段の蹴込板取付方法であって、
前記一対の側板の内側面における両蹴込板取付溝の後方に、前側が前記蹴込板取付溝に連通し、かつ後側が階段裏面側において後方に向けて開放する作業溝をそれぞれ形成しておき、
前記蹴込板を前記一対の側板に取り付けるに際し、階段裏面側における後方から前記蹴込板の両側縁部を上記両作業溝を介して両蹴込板取付溝までそれぞれ導いて、両蹴込板取付溝内にそれぞれ収容するようにしたことを特徴とする階段の蹴込板取付方法。
【００１１】
［１ａ］  前記一対の側板の内側面に、階段裏面側において後方に向けて開放する水平な段板取付溝がそれぞれ形成されるとともに、両段板取付溝に、段板の両側縁部が収容配置される前項１に記載の階段の蹴込板取付方法。
【００１２】
［１ｂ］  前記段板取付溝は、一対の側板に所定の間隔おきに複数形成される前項１ａに記載の階段の段板取付方法。
【００１３】
［１ｃ］  前記段板の前端部下側に、前記蹴込板取付溝が下方に延びるように形成される前項１ａに記載の段板の蹴込板取付方法。
【００１４】
［１ｄ］  前記蹴込板取付溝および作業溝は、階段施工現場に搬入する前に予め加工される前項１に記載の階段の蹴込板取付方法。
【００１５】
［１ｅ］  前記一対の側板は、階段施工現場に搬入する前に予め加工されたプレカット部材により構成される前項１に記載の階段の蹴込板取付方法。
【００１６】
［１ｆ］  前記一対の側板は、その少なくとも一部を、階段施工現場に搬入した後に加工するものとした前項１に記載の階段の蹴込板取付方法。
【００１７】
［２］  前記蹴込板取付溝は、一対の側板に所定の間隔おきに複数形成されるとともに、
前記複数の蹴込板取付溝のうち、最下段の蹴込板取付溝に対応して、前記作業溝が形成される前項１に記載の階段の蹴込板取付方法。
【００１８】
［２ａ］  最下段の蹴込板取付溝の下端開放部は、階段施工後の状態において床面などの設置面によって閉塞される前項２に記載の階段の蹴込板取付方法。
【００１９】
［２ｂ］  前記側板の下端部（前端部）に設置面（床面）に設置される水平設置部が設けられる前項２に記載の階段の蹴込板取付方法。
【００２０】
［２ｃ］  前記蹴込板の裏面側下端に、その下端縁に沿って桟部材が取り付けられる前項２に記載の階段の蹴込板取付方法。
【００２１】
［３］  前記作業溝は、前記蹴込板取付溝と連通する前側連通縁部と、後方に向けて開放する後側開放縁部と、前記前側連通縁部の上端および後側開放縁部の上端との間を結ぶ上側壁部とを有し、前記前側連通縁部は前記蹴込板取付溝のほぼ全域に対応して設けられるとともに、前記後側開放縁部の上端位置が前記前側連通縁部の上端位置に対し低位に設定され、
前記上側壁部は前記前側連通縁部の上端位置から後方に向けて斜め下向きに傾斜するよう配置される前項１または２に記載の階段の蹴込板取付方法。
【００２２】
［３ａ］  前記上側壁の垂直線に対する角度（θ）が３０〜６０°に設定される前項３に記載の階段の蹴込板取付方法。
【００２３】
［３ｂ］  前記上側壁は、直線状に形成される前項３に記載の階段の蹴込板取付方法。
【００２４】
［３ｃ］  作業溝は、階段裏面側において下向きに開放する下側開放縁部を有する前項３に記載の階段の蹴込板取付方法。
【００２５】
［４］  前記蹴込板を前記蹴込板取付溝に収容するに際し、前記蹴込板を略水平に配置した状態で前記蹴込板の両側縁部を両作業溝にその後側開放部から挿入した後、その蹴込板を挿入先端側を上方に持ち上げるように回転させつつ両作業溝の前方に移動させることにより、前記蹴込板の両側縁部を前記両蹴込板取付溝まで導くようにした前項１〜３のいずれか１項に記載の階段の蹴込板取付方法。
【００２６】
［５］  前記蹴込板取付溝の深さに対し、前記作業溝の深さが深く形成される前項１〜４のいずれか１項に記載の階段の蹴込板取付方法。
【００２７】
［５ａ］  前記蹴込板取付溝の底面と前記作業溝の底面との間に段差が形成される前項５に記載の階段の蹴込板取付方法。
【００２８】
［５ｂ］  前記作業溝の底面が、前記蹴込板取付溝に近づくに従って、次第に浅くなるような傾斜面に形成される前項５に記載の階段の蹴込板取付方法。
【００２９】
［５ｃ］  前記蹴込板取付溝の底面と前記作業溝の底面との間に段差が形成されない前項５ｂに記載の階段の蹴込板取付方法。
【００３０】
［５ｄ］  前記蹴込板取付溝の深さに対し、前記作業溝の深さがほぼ等しく形成される前項１〜４のいずれか１項に記載の階段の蹴込板取付方法。
【００３１】
［５ｅ］  途中で方向が転換されない直階段に適用される前項１〜４のいずれか１項に記載の階段の蹴込板取付方法。
【００３２】
［５ｆ］  途中で方向が転換される回り階段に適用される前項１〜４のいずれか１項に記載の階段の蹴込板取付方法。
【００３３】
［５ｇ］  途中で方向が１８０°転換される折返し階段に適用される前項１〜４のいずれか１項に記載の階段の蹴込板取付方法。
【００３４】
［５ｈ］  途中で方向が９０°転換されるかね折れ階段に適用される前項１〜４のいずれか１項に記載の階段の蹴込板取付方法。
【００３５】
［６］  内側面に下方に向けて開放する垂直な蹴込板取付溝がそれぞれ形成され、かつ平行に配置される一対の側板を具備する階段構成部材であって、
前記一対の側板の内側面における両蹴込板取付溝の後方に、前側が前記蹴込板取付溝に連通し、かつ後側が階段裏面側において後方に向けて開放する作業溝がそれぞれ形成され、
階段裏面側における後方から蹴込板の両側縁部が上記両作業溝を介して両蹴込板取付溝までそれぞれ導かれて、両蹴込板取付溝内にそれぞれ収容配置されるよう構成されたことを特徴とする階段構成部材。
【００３６】
［７］  平行に配置される一対の側板の内側面に、階段裏面側において下方に向けて開放する垂直な蹴込板取付溝がそれぞれ形成されるとともに、両蹴込板取付溝に、蹴込板の両側縁部が収容配置される階段であって、
前記一対の側板の内側面における両蹴込板取付溝の後方に、階段裏面側における後方から前記蹴込板の両側縁部を挿入して両蹴込板取付溝までそれぞれ導くための作業溝がそれぞれ形成され、
前記作業溝は、前側が前記蹴込板取付溝に連通し、かつ後側が階段裏面側において後方に向けて開放するよう形成されることを特徴とする階段。
【００３７】
［８］  前項１〜５のいずれか１項に記載された方法によって組み付けられたことを特徴とする階段の蹴込板取付構造。
【００３８】
［９］  前項８項に記載された構造が採用されたことを特徴とする階段。
【発明の効果】
【００３９】
上記発明［１］にかかる階段の蹴込板取付方法によれば、一対の側板における蹴込板取付溝の後方に、蹴込板取付溝に連通し、かつ後方に向けて開放する作業溝を形成し、この作業溝を介して、蹴込板を一対の側板における後側から差し込んで取り付けるようにしている。このため一対の側板を家屋構造体などに固定した後、後付けで最下段の蹴込板を簡単に組み付けることができる。
【００４０】
上記発明［２］にかかる階段の蹴込板取付方法によれば、上記の効果を確実に得ることができる。
【００４１】
上記発明［３］［４］にかかる階段の蹴込板取付方法によれば、最下段の蹴込板を、より一層簡単かつ確実に組み付けることができる。
【００４２】
上記発明［５］にかかる階段の蹴込板取付方法によれば、蹴込板の作業溝への挿入作業をスムーズに行うことができ、ひいては蹴込板の組付作業を効率良くスムーズに行うことができる。
【００４３】
上記発明［６］によれば、上記と同様の作用効果を奏する階段構成部材を提供することができる。
【００４４】
上記発明［７］によれば、上記と同様の作用効果を奏する階段を提供することができる。
【発明を実施するための最良の形態】
【００４５】
図１はこの発明の実施形態である蹴込板取付方法によって組み立てられた階段を示す斜視図、図２はその階段の側面断面図、図３はその階段に適用された側板（１）を内側面側から見た状態での斜視図である。これらの図に示すようにこの階段は、間隔をおいて平行に配置される一対の側板（１）（１）と、一対の側板間に長さ方向に沿って所定の間隔おきに水平に配置される複数の段板（２）と、各段板（２）の下面前部に下方に延びるように垂直に配置される複数の蹴込板（３）と、を備えている。
【００４６】
両側板（１）には、その前端部（下端部）の下面側に、床面（Ｆ）に設置される水平設置部（１１）が設けられている。
【００４７】
また両側板（１）の内側面には、各段板（２）の取付位置に対応して、所定の間隔おきに複数の段板取付溝（１２）が水平方向に沿って形成されている。各段板取付溝（１２）は、階段裏面側において後端側が後方に向けて開放されて、その後端開放部から段板取付溝（１２）内に段板（２）の両側縁部を挿入できるよう構成されている。
【００４８】
さらに側板（１）の内側面には、蹴込板（３）の取付位置に対応して、所定の間隔おきに複数の蹴込板取付溝（１３）が垂直方向に沿って形成されている。各蹴込板取付溝（１３）は、各段板取付溝（１２）の先端部から下方に向けて延びるように配置されて、その上端が段板取付溝（１２）に連通されるとともに、下端が階段裏面側において下方に向けて開放されている。そして蹴込板取付溝（１３）内にその下端開放部から蹴込板（３）の両側縁部を挿入できるよう構成されている。なお蹴込板取付溝（１３）のうち最下段（１段目）に配置される蹴込板取付溝（１３）は、その下端開放部が側板前端部の水平設置部（１１）において下方に開放されている。
【００４９】
図３および図４に示すように側板（１）の内側面における最下段の蹴込板取付溝（１３）の後方には、その取付溝（１３）を側板（１）の後方に開放する作業溝（４）が形成されている。この作業溝（４）は、内側面視において、４つの直線縁部（４１）〜（４４）により囲まれた四角形状を有している。すなわち作業溝（４）は、蹴込板取付溝（１３）に連通する前側縁部（前側連通縁部４１）と、階段裏面側において後方に開放される後側縁部（後側開放縁部４２）と、前側連通縁部（４１）の上端および後側開放縁部（４２）の上端との間を結ぶ上側縁部（上側壁部４３）と、階段裏面側において下方に開放される下側縁部（下側開放縁部４４）とを有している。
【００５０】
作業溝（４）の前側連通縁部（４１）は、蹴込板取付溝（１３）の上下方向ほぼ全域に対応する大きさに設定されており、その全域において蹴込板取付溝（１３）に連通されている。さらに作業凹部（４）における後側開放縁部（４２）の上端は、前側連通縁部（４１）の上端よりも下方に配置されている。換言すれば上側壁部（４３）は、前側連通縁部（４１）の上端位置、つまり蹴込板取付溝（１３）の上端位置から後方に向けて斜め下向きに傾斜するように配置されている。
【００５１】
ここで本実施形態においては、図４に示すように作業溝（４）の上側壁部（４３）における垂直線に対する開き角度（θ）を３０〜６０°、好ましくは３５〜５５°に設定するのが良い。すなわち上側壁部角度（θ）を上記の規定範囲内に設定する場合には、後述するように蹴込板取付作業をスムーズに行うことができる。換言すれば傾斜角度（θ）が小さ過ぎる場合には、後述するように蹴込板（３）を取り付けるのが困難になる恐れがある。また角度（θ）を過度に大きく形成しても、拡大化による優位性はなく却って、作業溝（４）の形成範囲が大きくなり、段板（２）を支持する部分が小さくなり、側板強度の低下などを来す恐れがある。極端に説明すると、開き角度（θ）が９０°になると、段板（２）を支持する部分が消失されてしまうという不具合が生じる。もっとも上記開き角度（θ）を９０°に設定して、段板支持部分を消失させたとしても、金具、木片、樹脂片などの段板支持用の部材を別途、後付けで取り付けることにより、段板を支障なく取り付けることができる。
【００５２】
図５に示すように作業溝（４）はその深さが、蹴込板取付溝（３）の深さよりも深く形成されており、後述するように蹴込板（３）の作業溝（４）への挿入作業を容易に行うことができるよう構成されている。
【００５３】
また段板（２）および蹴込板（３）としては長板形状のものが用いられるが、図９に示すように最下段の蹴込板（３）としては、その裏面側の下端縁部沿って桟部材（３５）が固定されたものが用いられる。この桟部材（３５）は、最下段の蹴込板（３）を床面（Ｆ）にビスなどで固定するのに有効である。
【００５４】
なお実施形態においては、側板（１）、段板（２）および蹴込板（３）などの各構成部材としては、組付現場に搬入される前に予め製作工場側で加工されたプレカット部材が用いられている。例えば側板（１）における段板取付溝（１２）、蹴込板取付溝（１３）および作業溝（４）は、現場搬入前に予め形成されている。
【００５５】
本実施形態においては、以上の構成要素を用いて階段を施工するものである。まず一対の側板（１）（１）を互いに間隔をおいて平行に配置した状態で家屋構造体（１０）に固定する。このとき側板（１）の下端部における水平設置部（１１）を床面（Ｆ）に設置させるように配置する。これにより最下段の蹴込板取付溝（１３）の下端開放部および作業溝（４）の下側開放縁部（４４）は、床面（Ｆ）によって閉塞される。
【００５６】
続いて下側から順に、段板（２）および蹴込板（３）を固定していく。まず１段目（最下段）の段板（２）を一対の側板（１）（１）の裏面側（階段裏面側）から組み付ける。すなわち段板（２）の両側縁部を一対の側板（１）（１）の内側面における最下段の両段板取付溝（１２）（１２）にその後端開放部から差し込む。その後、段板（２）をビスや楔などにより側板（１）に固定する。
【００５７】
なお段板（２）の下面側における蹴込板取付溝（１３）（１３）に対応する位置には、蹴込板（３）の上端を位置決め状態に収容可能な蹴込板上端収容溝（２３）が形成されている。
【００５８】
次に図６に示すように、最下段の蹴込板（３）をその上側を前方に向けて水平に配置して、その水平状態の蹴込板（３）の両側縁部を一対の側板（１）（１）の裏面側から両側の作業溝（４）（４）にその後側開放縁部（４２）（４２）を通じて挿入する。
【００５９】
続けて図７に示すように、両作業溝（４）（４）および両蹴込板取付溝（１３）（１３）内において、蹴込板（３）をその前側（挿入先端側）を上方に持ち上げるように回転させつつ、前方へ挿入していく。
【００６０】
その後図８に示すように、蹴込板（３）をその上端部を段板裏面の上記蹴込板上端収容溝（２３）に収容して垂直姿勢に配置し、蹴込板（３）の両側縁部を一対の側板（１）（１）の内側面における両蹴込板取付溝（１３）（１３）内に収容配置する。続いてその状態で蹴込板（３）をビスなどを用いて側板（１）（１）に固定する。さらに必要に応じて、蹴込板（３）をその桟部材（３５）を介してビスなどにより床面（Ｆ）に固定する。
【００６１】
こうして最下段（１段目）の段板（２）および蹴込板（３）を取り付けた後は、２段目の段板（２）をその両側縁部を２段目の両段板取付溝（１２）（１２）に後端開放部からそれぞれ挿入して固定し、続けて２段目の蹴込板（３）をその両側縁部を２段目の両蹴込板取付溝（１３）（１３）に下端開放部からそれぞれ挿入して固定する。
【００６２】
続けて３段目以降の段板（２）および蹴込板（３）を上記と同様に下から順に組み付けていくことにより、階段の組付が完了する。
【００６３】
このように本実施形態の階段施工方法によれば、一対の側板（１）（１）を家屋構造体（１０）に固定した後、各段板（２）および各蹴込板（３）を下から順に組み付けるものであるため、もっともシンプルな手順で無駄なくスムーズに組み立てることができ、効率良く簡単に施工することができる。
【００６４】
特に本実施形態においては、一対の側板（１）（１）における最下段の蹴込板取付溝（１３）（１３）の後方に、蹴込板取付溝（１３）（１３）に連通し、かつ後方に向けて開放する作業溝（４）（４）を形成し、この作業溝（４）（４）を介して、最下段の蹴込板（３）を側板後方から差し込んで取り付けるようにしている。このため一対の側板（１）（１）を家屋構造体（１０）に固定した後、後付けで最下段の蹴込板（３）を簡単かつ確実に組み付けることができ、階段施工作業を効率良くスムーズに行うことができる。例えば、仮止めした一対の側板を揺動させて最下段の蹴込板を組み付けた後、一対の側板を本固定したり、あるいは最下段の蹴込板を組み付けた一対の側板を構造体に固定するなどの面倒な作業を必要とする工法とは異なり、一対の側板（１）（１）を構造体（１０）に固定した後、最下段の蹴込板（３）を簡単かつ確実に組み付けることができる。
【００６５】
しかも本実施形態においては、固定した一対の側板（１）（１）の後側から、最下段の蹴込板（３）を挿入固定するものであるため、例えば一人の作業者のみでも難なく施工することができる。
【００６６】
また本実施形態においては、作業溝（４）の深さを蹴込板取付溝（１３）の深さよりも深く形成しているため、蹴込板（３）の両側端面と作業溝（４）の底面との間に余裕ができて、蹴込板（３）の作業溝（４）への挿入を容易に行うことができ、ひいては作業溝（４）からの蹴込板（３）の蹴込板取付溝（１３）への移動もスムーズに行うことができ、より一層蹴込板（３）の組付作業を簡単に行うことができる。
【００６７】
なお上記実施形態においては、作業溝（４）における側板内面からの深さを底面全域において一様に形成して、作業溝（４）と蹴込板取付溝（１３）との底面間に段差が形成されるようにしているが、それだけに限られず、本発明においては、図１０に示すように、作業溝（４）の深さをその前側縁部（４１）に対し後側縁部（４２）が深くなるように、後方に向かうに従って次第に深くなるように形成しても良い。この場合同図に示すように作業溝（４）と蹴込板取付溝（１３）との底面間における段差をなくすことができる。もっとも発明においては、作業溝（４）の深さを蹴込板取付溝（１３）の深さよりも必ずしも深く形成する必要はなく、同程度に形成するようにしても良い。蹴込板取付溝と作業溝との深さを同程度に形成する場合、作業溝の前側縁部（前側連通縁部４１）に、視覚的に線などが表示されることはないが、蹴込板取付溝と作業溝との境界部分が作業溝の前側縁部（前側連通縁部４１）として構成されることになる。
【００６８】
また上記実施形態においては、側板における最下段の蹴込板取付溝（１３）に対応させて作業溝（４）を形成するようにしているが、それだけに限られず、本発明においては、２段目以降の蹴込板取付溝に対応する位置に作業溝を形成し、その蹴込板取付溝に対し階段裏面側から蹴込板を組み付けるようにしても良い。
【００６９】
また上記実施形態においては、階段構成部材として、現場搬入前に工場側で予め加工されたプレカット部材を用いるようにしているが、本発明はそれだけに限られず、現場において加工するようにしても良いし、ある程度工場側で加工された半プレカット材を現場に搬入して、現場で最終的に加工するようにしても良い。例えば段板取付溝および蹴込板取付溝が予め形成された側板を現場に搬入し、階段組立現場においてその側板（半プレカット材）に作業溝を形成するようにしても良い。
【００７０】
また、上記実施形態においては、本発明の蹴込板取付方法を、途中で方向が転換されない直階段に適用した場合について説明したが、それだけに限られず、本発明は、途中で方向が転換される回り階段にも適用することができる。さらに本発明が適用可能な回り階段としては、途中で向きを１８０°転換する折返し階段や、途中で向きを９０°転換するかね折れ階段などを例示できる。
【図面の簡単な説明】
【００７１】
【図１】この発明の実施形態である蹴込板取付方法によって組み立てられた階段を示す斜視図である。
【図２】上記階段の側面断面図である。
【図３】上記階段に採用された側板を内側面側から見た状態での斜視図である。
【図４】上記階段における側板の下端部を拡大して示す内側面図である。
【図５】上記階段の下端部における水平断面図であって、図２のＶ−Ｖ線断面に相当する断面図である。
【図６】上記階段における側板の下端部を蹴込板挿入開始直後の状態で示す内側面図である。
【図７】上記階段における側板の下端部を蹴込板挿入途中の状態で示す内側面図である。
【図８】上記階段における側板の下端部を蹴込板挿入完了直後の状態で示す内側面図である。
【図９】上記階段に適用された蹴込板を裏面側から見た状態での斜視図である。
【図１０】この発明の変形例である階段の下端部における水平断面図であって、図２のＶ−Ｖ線断面に相当する断面図である。
【符号の説明】
【００７２】
１…側板（階段構成部材）
１３…蹴込板取付溝
３…蹴込板
４…作業溝
４１…前側連通縁部
４２…後側開放縁部
４３…上側壁部
【図１】
2006299630.tif 000003
【図２】
2006299630.tif 000004
【図３】
2006299630.tif 000005
【図４】
2006299630.tif 000006
【図５】
2006299630.tif 000007
【図６】
2006299630.tif 000008
【図７】
2006299630.tif 000009
【図８】
2006299630.tif 000010
【図９】
2006299630.tif 000011
【図１０】
2006299630.tif 000012